(57)【要約】　　　（修正有）【課題】　特に強度に優れ、且つ所望のライ角の形成が容易なクラブヘッドを提供する。【解決手段】鋳造によりクラブヘッド１０が成形され、該クラブヘッド１０におけるフェース３０が取付けられる面の周縁に位置決め孔１１０を有する位置決め部１１が設けられると共に、クラブヘッド１０におけるシャフト４０を装着する側に、ソケット２０が挿設される上部接合孔１２１の形成可能な上部形成部を有するホーゼル１２が設けられ、且つクラブヘッド１０の内部におけるホーゼル１２と同軸に、ライ角度の調整可能な下部接合孔１３１を形成可能なドリル孔座１３が設けられた構成とした。【選択図】　図６
0003099906.tif 000002
【実用新案登録請求の範囲】
【請求項１】
鋳造によりクラブヘッド１０が成形され、該クラブヘッド１０におけるフェース３０が取付けられる面の周縁に、位置決め孔１１０を有する位置決め部１１が設けられると共に、クラブヘッド１０におけるシャフト４０を装着する側に、ソケット２０が装着される上部接合孔１２１の形成可能な形成部を有するホーゼル１２が設けられ、該ホーゼル１２が形成されるクラブヘッド１０の内部には、該ホーゼル１２と同軸にライ角度の調整可能な下部接合孔１３１の形成可能なドリル孔座１３が設けられていることを特徴とするゴルフクラブヘッド。
【請求項２】
前記クラブヘッド１０における、ホーゼル１２とドリル孔座１３との間の側壁に溶接孔１４が貫穿されることを特徴とする請求項１に記載のゴルフクラブヘッド。
【請求項３】
前記ドリル孔座１３は、クラブヘッド１０の内部における、ホーゼル１２に隣接する側に位置することを特徴とする請求項１又は２記載のゴルフクラブヘッド。
【請求項４】
前記ドリル孔座１３は、クラブヘッド１０の内部底端に位置することを特徴とする請求項１又は２に記載のゴルフクラブヘッド。
【考案の詳細な説明】
【技術分野】
【０００１】
　本考案は、特に強度に優れ、且つ、所望のライ角の形成が容易なゴルフクラブヘッドに関するものである。
【背景技術】
【０００２】
　中華民国実用新案公告第３８４７２４号「ゴルフクラブ」が提出されている。その主な技術手段は、一組の兼用可能な金型によりクラブヘッドが製造され、該クラブヘッド上に孔部が形成されると共に、その孔部に、予め所望の角度のガイド孔が形成される管部材が挿設されることにより、シャフトを、対応するクラブヘッドに所望の角度で接合するものである。
【特許文献１】中華民国実用新案公告第３８４７２４号
【考案の開示】
【考案が解決しようとする課題】
【０００３】
　しかし、前記従来のゴルフクラブは、クラブヘッド用の金型にかかるコストを抑えることはできるが、異なる角度のガイド孔を備えたソケットを製造するための金型にコストがかかるので、結局はコスト削減の目的を達成できていない。故に、ゴルフクラブを低価格で消費者に提供することはできない。
【課題を解決するための手段】
【０００４】
　本考案は、鋳造によりクラブヘッド１０が成形され、該クラブヘッド１０のフェース３０が取付けられる面の周縁に、位置決め孔１１０を有する位置決め部１１が設けられると共に、クラブヘッド１０におけるシャフト４０を挿設するヒール側に、ソケット２０が挿設される上部接合孔１２１が形成される形成部を有するホーゼル１２が設けられ、該ホーゼル１２が形成されたクラブヘッド１０の内部に、該ホーゼル１２と同軸にライ角度の調整可能な下部接合孔１３１の形成可能なドリル孔座１３が設けられていることを特徴とするゴルフクラブヘッドを提供する。
【考案の効果】
【０００５】
　本考案は上記の課題を解決するものであり、鋳造によりクラブヘッドが成形され、該クラブヘッドにおけるフェースが取付けられる面の周縁に、位置決め孔を有する位置決め部が設けられると共に、クラブヘッドにおけるシャフトを挿設する側に、ソケットが装着される上部接合孔の形成を可能とするホーゼルが設けられ、該ホーゼル１２が形成されたクラブヘッド１０の内部に、該ホーゼル１２と同軸にライ角度の調整可能な下部接合孔１３１の形成可能なドリル孔座１３が設けられる構成としたので、以下に示すような作用効果を有する。
　・　本考案のゴルフクラブヘッドによれば、所望のライ角を有するクラブヘッドを製作する場合に、夫々ライ角が異なる別個のソケット用金型を用意する必要がなく、組み立ても容易であるので、コストの削減を図ることができる。
　・　上述したように、本考案のゴルフクラブヘッドによれば、製造を容易に行なうことができることから、コストの削減を達成できるので、ゴルフクラブを低価格で消費者に提供することができる。
【考案を実施するための最良の形態】
【０００６】
　以下、添付図面を参照して本考案の好適な実施の形態を詳細に説明する。
【実施例】
【０００７】
　図１は本考案に係るゴルフクラブヘッドの斜視図であり、図２は本考案に係るゴルフクラブヘッドの正面断面図であり、図３は本考案に係るゴルフクラブヘッドにソケットを挿設した状態を示す正面断面図であり、図４は本考案に係るゴルフクラブヘッドに所望のライ角とした上部接合孔及び下部接合孔を形成し、ソケットを挿設した状態を示す斜視図であり、図５は本考案に係るゴルフクラブヘッドに、ライ角が５８度となるようにシャフトを装着した状態を示す正面断面図であり、図６は本考案に係るゴルフクラブヘッドに、ライ角が５３度となるようにホーゼル１２の上端接合孔１２１及びドリル孔座１３に下部接合穴孔１３１を形成した後シャフト４０を挿設した状態を示す正面断面図であり、図７は本考案に係るゴルフクラブヘッドに、ライ角が６２度となるようにホーゼル１２の上端接合孔１２１及びドリル孔座１３に下部接合穴孔１３１を形成した後に、シャフト４０を装着した状態を示す正面断面図であり、図８は本考案に係るゴルフクラブヘッドのフェース角の取り付け状態を示した概略平面図である。
【０００８】
　図１及び図２に示すように、本考案のゴルフクラブヘッドは、鋳造によりクラブヘッド１０が成形され、該クラブヘッド１０におけるフェース３０（図４参照）が取付けられる面の周縁に、位置決め孔１１０を有する位置決め部１１が設けられると共に、クラブヘッド１０におけるシャフト４０を装着するヒール側にソケット２０（図３参照）が装着されるホーゼル２０が形成されたものである。
【０００９】
　前記ホーゼル１２の上部には、後述するドリル孔座１３に形成される下部接合孔１３１に対応して所望のライ角を得ることができる上部接合孔１２１を形成する形成部２０ａを有している。そして、所望のライ角を有するクラブヘッド１０を形成するには、前記ホーゼル１２の形成部２０ａ及びドリル孔座１３に前記所望のライ角となるように、それぞれ上部接合孔１２１及び下部接合孔１３１を形成できるようになっており、前記各上部，下部接合孔１２１，１３１を形成した後ソケット２０を装着して、ソケット２０の基部を前記溶接孔１４を介して半田により溶着し、次に前記ソケット２０にシャフト４０を装着する。
【００１０】
　また、前記ホーゼル１２が形成されるクラブヘッド１０の内部側には、該ホーゼル１２と同軸に所望のライ角度に合わせた下部接合孔１３１が形成可能なドリル孔座１３が設けられた構成を有している。
【００１１】
　また、前記ホーゼル１２とドリル孔座１３との間におけるクラブヘッド１０の外壁と対応する位置に溶接孔１４を形成し、その溶接孔１４内に半田を挿入してソケット２０をクラブヘッド１０に半田付けすることができるようにしたものである。
【００１２】
　また、変形例として前記ドリル孔座１３は、クラブヘッド１０の内部における、ホーゼル１２に隣接する側に位置させても良い。
　また、変形例として前記ドリル孔座１３は、クラブヘッド１０の内部底端に位置させるようにしても良い。
【００１３】
　上記本考案の実施例によれば、図５乃至図７及び図８に示すようなライ角及びフェース角の異なるゴルフクラブを容易に製造することができる。
【００１４】
　即ち、図５は本考案に係るゴルフクラブヘッド１０に、ライ角が５８度となるようにホーゼル１２の上部形成部に上部接合孔１２１およびドリル孔座１３に下部接合孔１３１を形成すると共に、ソケット２０を装着し、且つ溶接孔１４を介して前記ソケット２０とホーゼル１２とを溶着し、次にシャフト４０の下端部４０ａが前記下部接合孔１３１に嵌合するように装着したもので、これによってライ角５８度のゴルフクラブを提供できるようにしたものである。
【００１５】
　図６は、本考案に係るゴルフクラブヘッド１０に、ライ角が５３度となるようにホーゼル１２の上部接合孔１２１およびドリル孔座１３の下部接合孔１３１を形成すると共に、ソケット２０を装着し、且つ、溶接孔１４を介して前記ソケット２０とホーゼル１２とを溶着し、次にシャフト４０の下端部４０ａが前記下部接合孔１３１に嵌合するように装着したもので、これによってライ角５３度のゴルフクラブを提供できるようにしたものである。
【００１６】
　図７は、本考案に係るゴルフクラブヘッド１０に、ライ角が６２度となるようにホーゼル１２の上部接合孔１２１およびドリル孔座１３の下部接合孔１３１を形成すると共に、ソケット２０を装着し、且つ溶接孔１４を介して前記ソケット２０とホーゼル１２とを溶着し、次にシャフト４０の下端部４０ａが前記下部接合孔１３１に嵌合するように装着したもので、これによってライ角６２度のゴルフクラブを提供できるようにしたものである。
【００１７】
　図８は、本考案に係るゴルフクラブヘッドのフェース角の状態を示した概略平面図で、（ａ）はオープンフェースにした状態を示し、（ｂ）はストレートフェースにした状態を示し、（ｃ）はシャットフェースにした状態を示したものである。
【図面の簡単な説明】
【００１８】
【図１】本考案に係るゴルフクラブヘッドの実施例を示す斜視図である。
【図２】本考案に係るゴルフクラブヘッドの実施例を示す正面断面図である。
【図３】本考案に係るゴルフクラブヘッドにソケットを挿設した状態を示す正面断面図である。
【図４】本考案に係るゴルフクラブヘッドにソケットを挿設した状態を示す斜視図である。
【図５】本考案に係るゴルフクラブヘッドに、ライ角が５８度となるようにシャフトを挿設した状態を示す正面断面図である。
【図６】本考案に係るゴルフクラブヘッドに、ライ角が５３度となるようにシャフトを挿設した状態を示す正面断面図である。
【図７】本考案に係るゴルフクラブヘッドに、ライ角が６２度となるようにシャフトを挿設した状態を示す正面断面図である。
【図８】本考案に係るゴルフクラブヘッドのフェース角の状態を示した概略平面図で、（ａ）はオープンフェースにした状態を示し、（ｂ）はストレートフェースにした状態を示し、（ｃ）はシャットフェースにした状態を示したものである。
【符号の説明】
【００１９】
１０　　　　クラブヘッド
１１　　　　位置決め部
１１０　　　　位置決め孔
１２　　　　ホーゼル
１２１　　　　上部接合孔
１３　　　　ドリル孔座
１３１　　　　下部接合孔
１４　　　　溶接孔
２０　　　　ソケット
３０　　　　フェース
４０　　　　シャフト
【図１】
0003099906.tif 000003
【図２】
0003099906.tif 000004
【図３】
0003099906.tif 000005
【図４】
0003099906.tif 000006
【図５】
0003099906.tif 000007
【図６】
0003099906.tif 000008
【図７】
0003099906.tif 000009
【図８】
0003099906.tif 000010